(57)【特許請求の範囲】
【請求項１】
詳細案内図データにより案内される所定の施設の種類もしくは分類に関連する図案と共に二次元コードパターンが隙間の生じるように分割して印刷されており、
上記二次元コードパターンの分割された部分もしくは全体を携帯端末で読み取ると、設置される地域の周辺の地理を示す広域地図データであってその地図内に所在する所定の施設の所在地に連番の番号が描画される上記広域地図データと、その広域地図データ内に表示される複数の上記番号と上記施設の名称とを対応付けたリストとを有するサーバ装置から、上記広域地図データおよび上記リストが上記携帯端末へ送信されるように要求する情報がコード化されていることを特徴とする二次元コードを有するシート。
【請求項２】
請求項１に記載のシートにおいて、
前記二次元コードパターンの分割された部分もしくは全体が、ビルの屋上から吊り下げられる垂れ幕に印刷されて構成されていることを特徴とする二次元コードを有するシート。
【請求項３】
ネットワークを介して表示部を有する携帯端末と通信する通信手段と、
店舗、施設、構造物などの所定の施設への道案内図あるいは地域案内図を有する詳細案内図データと、
上記詳細案内図データによる上記所定の施設の所在地が含まれる広域の地図、並びに、その地図内に所在する所定の施設の上記詳細案内図データへのリンク情報を複数有する広域地図データとを記憶する記憶手段と、
を有するサーバ装置および上記サーバ装置と上記ネットワークを介して通信する上記携帯端末によって上記詳細案内図データおよび上記広域地図データが提供される情報提供システムであって、
上記詳細案内図データにより案内される上記所定の施設の種類もしくは分類に関連する図案と共に二次元コードパターンが隙間の生じるように分割して印刷されたシートを備え、
上記二次元コードパターンの分割された部分もしくは全体を上記携帯端末で読み取ると、上記シートが設置される地域の周辺の地理を示す上記広域地図データであってその地図内に所在する所定の施設の所在地に連番の番号が描画される上記広域地図データと、その広域地図データ内に表示される複数の上記番号と上記施設の名称とを対応付けたリストとが上記サーバ装置から上記携帯端末へ送信されることを特徴とする情報提供システム。
【請求項４】
請求項３に記載の情報提供システムにおいて、
前記二次元コードパターンの分割された部分もしくは全体が、ビルの屋上から吊り下げられる垂れ幕に印刷されて構成されていることを特徴とする情報提供システム。
【発明の詳細な説明】
【技術分野】
【０００１】
本発明は、二次元コードを有するシート、情報提供システムに関する。
【背景技術】
【０００２】
特許文献１には、自動販売機管理システムが開示されている。この特許文献１の自動販売機管理システムは、自動販売機のサンプル缶飲料および商品選択ボタンと対応付けて、二次元コードを表示する。表示される二次元コードには、それが対応付けられている商品に応じた情報がコード化される。自動販売機の利用者は、その二次元コードを携帯電話などで読み取ることで、売り切れている商品などに関して問合せをすることができる。
【０００３】
【特許文献１】特開２００４−３２６４６９号公報（特許請求の範囲、発明の詳細な説明、図面など）
【発明の開示】
【発明が解決しようとする課題】
【０００４】
特許文献１には、自動販売機管理システムが開示されている。この特許文献１の自動販売機管理システムは、自動販売機のサンプル缶飲料および商品選択ボタンと対応付けて、二次元コードを表示する。表示される二次元コードには、それが対応付けられている商品に応じた情報がコード化される。自動販売機の利用者は、その二次元コードを携帯電話などで読み取ることで、売り切れている商品などに関して問合せをすることができる。
【０００５】
特許文献１の自動販売機管理システムのように、自動販売機の各サンプル缶飲料あるいは各商品選択ボタンと対応付けて二次元コードが提供されている場合、ユーザは、その二次元コードが少なくとも自動販売機で販売されているその商品などに関連する情報を提供するものであることを自然に把握することができる。したがって、その把握に基づいて、ユーザは、表示されている二次元コードを携帯電話などでデコードして利用することができる。
【０００６】
しかしながら、このように特定の商品などと直接的に対応付けて二次元コードを提供するのではなく、たとえば、単に、街中に、その街を案内する情報などをコード化した二次元コードを設けた場合、二次元コードを見た人は、二次元コードを見ただけでは、その二次元コードに何の情報がコード化されているのかを把握することができない。
【０００７】
したがって、街中に設けられた二次元コードを見つけた人は、試しにそれをデコードしてみなければ、その二次元コードにどのような情報がコード化されているのかを把握することができない。見つけた二次元コードを１つ１つデコードしなければならない。最初の数回は興味本位でデコードするかもしれないが、ユーザは、飽きてしまえば興味を示さなくなってしまう。また、二次元コードが何たるかを知らない人にとっては、単なる意味不明のマークであると認識されてしまうだけである。さらに、たとえば街中に二次元コードが溢れた状況を想像した場合、ユーザは、どの二次元コードをデコードすれば所望の情報を得られるのかを把握することができず、混乱すると予想される。ユーザに、見つけた二次元コードを手当たり次第にデコードさせていては、不便である。その結果、街中に二次元コードを設けるだけでは、その二次元コードを用いた情報文化が社会に根付くとは考え難い。
【０００８】
本発明は、二次元コードを見るだけで、その二次元コードをデコードすることで得られる情報の概略を把握することができる二次元コードを有するシート、情報提供システムを提供することを目的とする。
【課題を解決するための手段】
【０００９】
本発明に係る二次元コードを有するシートは、詳細案内図データにより案内される所定の施設の種類もしくは分類に関連する図案と共に二次元コードパターンが隙間の生じるように分割して印刷されており、二次元コードパターンの分割された部分もしくは全体を携帯端末で読み取ると、設置される地域の周辺の地理を示す広域地図データであってその地図内に所在する所定の施設の所在地に連番の番号が描画される広域地図データと、その広域地図データ内に表示される複数の番号と施設の名称とを対応付けたリストとを有するサーバ装置から、広域地図データおよびリストが携帯端末へ送信されるように要求する情報がコード化されているものである。
【００１０】
この構成を採用すれば、地域案内板に設置された二次元コードのパターンを見た人は、その二次元コードのパターンとともにシートに印刷されている図案に基づいて、その二次元コードのパターンをデコードすることで得られる情報の種類や分類、すなわち概略を把握することができる。また、この構成を採用すると、二次元コードパターンの使用方法の多様性が増すとともに、デザインの多様性が増すこととなる。
【００１１】
また、上述した二次元コードを有するシートは、二次元コードパターンの分割された部分もしくは全体が、ビルの屋上から吊り下げられる垂れ幕に印刷されて構成されていることが好ましい。
【００１２】
この構成を採用すれば、ビルの屋上から吊り下げられる垂れ幕に印刷された二次元コードのパターンを見た人は、その二次元コードのパターンとともにシートに印刷されている図案に基づいて、その二次元コードのパターンをデコードすることで得られる情報の種類や分類、すなわち概略を把握することができる。
【００２３】
本発明に係る情報提供システムは、ネットワークを介して表示部を有する携帯端末と通信する通信手段と、店舗、施設、構造物などの所定の施設への道案内図あるいは地域案内図を有する詳細案内図データと、詳細案内図データによる所定の施設の所在地が含まれる広域の地図、並びに、その地図内に所在する所定の施設の詳細案内図データへのリンク情報を複数有する広域地図データとを記憶する記憶手段と、を有するサーバ装置およびサーバ装置とネットワークを介して通信する携帯端末によって詳細案内図データおよび広域地図データが提供される情報提供システムであって、詳細案内図データにより案内される所定の施設の種類もしくは分類に関連する図案と共に二次元コードパターンが隙間の生じるように分割して印刷されたシートを備え、二次元コードパターンの分割された部分もしくは全体を携帯端末で読み取ると、シートが設置される地域の周辺の地理を示す広域地図データであってその地図内に所在する所定の施設の所在地に連番の番号が描画される広域地図データと、その広域地図データ内に表示される複数の番号と施設の名称とを対応付けたリストとがサーバ装置から携帯端末へ送信されるものである。
【００２５】
この構成を採用すれば、携帯端末のユーザは、二次元コードのパターンとともに設置された図案に基づいて、その二次元コードのパターンをデコードすることで得られる情報の種類や分類、すなわち概略を把握することができる。また、携帯端末のユーザは、その二次元コードのパターンをデコードすることで、サーバ装置から道案内図あるいは地域案内図を得ることができる。
【００２６】
さらに、上述した二次元コードパターンの分割された部分もしくは全体が、ビルの屋上から吊り下げられる垂れ幕に印刷されて構成されていることが好ましい。
【発明の効果】
【００２７】
本発明では、二次元コードを見るだけで、その二次元コードをデコードすることで得られる情報の概略を把握することができる。
【発明を実施するための最良の形態】
【００２８】
以下、本発明の実施の形態に係る二次元コードを有するシート、サーバ装置および情報提供システムを、図面に基づいて説明する。以下の各実施の形態では、二次元コードがＱＲ（Ｑｕｉｃｋ  Ｒｅｓｐｏｎｓｅ）コードである場合を例として説明する。なお、ＱＲコードは登録商標である。
【００２９】
実施の形態１．
図１は、本発明の実施の形態１に係る情報提供システムを示すシステム構成図である。情報提供システムは、二次元コードの一種としてのＱＲコードを有するシート１と、携帯端末としてのカメラ付き携帯電話端末２と、ネットワークとしての通信ネットワーク３と、サーバ装置４と、を有する。この情報提供システムは、サーバ装置４に記憶されているレストランに関する情報を、カメラ付き携帯電話端末２のユーザに提供するものである。
【００３０】
ＱＲコードを有するシート１は、たとえば塩化ビニル製の白色のマット材１１を有する。塩化ビニルは、透明なプラスチック材である。マット材１１の表面には、二次元コードによるパターンとしてのＱＲコードパターン１２と、図案としてのマーク１３とが並べて印刷される。ＱＲコードパターン１２は、マーク１３の左側に印刷される。塩化ビニル製の白色のマット材１１にこれらを印刷するためには、たとえば油性インクを吐出するインクジェット印刷機を用いればよい。また、マット材１１の表面には、この油性インクを付着した後に、その表面をポリプロピレン、フッ化ビニリデン（フィルム）などの透明な材料でコーティング剤を塗布するとよい。これにより、マット材１１の表面に自動車のタイヤが乗り上げて擦られたとしても、印刷がかすれたりはがれたりし難くなる。屋外において、数年の使用に耐えられるようになる。特に、交通標識にも用いられているフッ化ビニリデンフィルムでコーティングすることで、きず、よごれ、いたずら書きに強く、紫外線に強くなるので、１０年以上にわたってＱＲコードパターン１２のデコードが可能となる耐久性がえられる。また、塩化ビニル製のマット材１１の表面に印刷するようにすることで、ＱＲコードパターン１２およびマーク１３とを、一辺が２〜３ｍの大きさで形成することが可能である。
【００３１】
ＱＲコードパターン１２は、データをＱＲコードによりコード化することで得られるパターンである。ＱＲコードは、ＩＳＯ（Ｉｎｔｅｒｎａｔｉｏｎａｌ  Ｏｒｇａｎｉｚａｔｉｏｎ  Ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）１８００４として規格化されている。このＱＲコードパターン１２には、サーバ装置４のＵＲＬ（Ｕｎｉｆｏｒｍ  Ｒｅｓｏｕｒｃｅ  Ｌｏｃａｔｏｒ）としての文字列データがコード化されている。
【００３２】
ＱＲコードパターン１２の右側に並べて印刷されるマーク１３は、レストランを意味する図記号である。皿の上に、ナイフとフォークとをのせた図案の図記号である。このようなレストランの図記号は、各種の案内において既に利用されている図案に類似する図案であり、大多数の人はレストランを連想する。この他にもたとえば、レストランを連想させる図記号としては、たとえばナイフとフォークとを並べた図案である標準案内用図記号や、高速道路の道路標識などで使用される図記号などがある。これらの既に利用されている図案を使用することで、大多数の人にレストランを連想させることができる。
【００３３】
図２は、ＱＲコードを有するシート１の設置状態の一例を示す図である。図２に示すＱＲコードを有するシート１は、地域案内板１６に貼着される。地域案内板１６は、近隣の地域地図を表示するものであり、たとえば歩道脇の植え込みの中に立設される。このような地域案内板１６に貼着されるシート１は、たとえば縦３０ｃｍ×横６０ｃｍの大きさを有する。マーク１３とＱＲコードパターン１２とは横に並べられている。このようなサイズでＱＲコードパターン１２を形成することで、地域案内板１６から１〜２ｍ程度離れた位置からでもその読み取りが可能となる。
【００３４】
図１中の通信ネットワーク３は、インターネット２１およびＡＴＭ（Ａｓｙｎｃｈｒｏｎｏｕｓ  Ｔｒａｎｓｆｅｒ  Ｍｏｄｅ）通信網２２で構成されるネットワークと、このＡＴＭ通信網２２に接続される基地局２３と、を有する。基地局２３は、そのゾーン内に存在する携帯電話端末の無線通信Ｉ／Ｆとの間でデータ通信回線を確立し、そのデータ通信回線を用いて無線通信Ｉ／Ｆとの間でデータを送受信する。
【００３５】
図３は、カメラ付き携帯電話端末２の構成を示す装置構成図である。カメラ付き携帯電話端末２は、中央処理装置（ＣＰＵ：Ｃｅｎｔｒａｌ  Ｐｒｏｃｅｓｓｉｎｇ  Ｕｎｉｔ）３１と、ＲＡＭ（Ｒａｎｄｏｍ  Ａｃｃｅｓｓ  Ｍｅｍｏｒｙ）３２と、半導体メモリ３３と、入出力ポート３４と、これらを接続するシステムバス３５と、を有する。入出力ポート３４には、通信ネットワーク３の基地局２３との間でデータを送受信する無線通信Ｉ／Ｆ（ＩｎｔｅｒＦａｃｅ）３６と、画像を撮像して出力するＣＣＤ（Ｃｈａｒｇｅ  Ｃｏｕｐｌｅｄ  Ｄｅｖｉｃｅ）カメラ３７と、テンキーなどを有する入力キー３８と、表示部に表示データに基づく画像を表示する液晶デバイス３９と、が接続される。
【００３６】
半導体メモリ３３は、通信制御プログラム４１と、デコードプログラム４２と、表示制御プログラム４３と、を記憶するフラッシュメモリなどの不揮発性メモリである。中央処理装置３１は、これらのプログラムを記憶デバイス５３からＲＡＭ３２に読み込んで実行する。中央処理装置３１が通信制御プログラム４１を実行することで、図４に示すように、通信制御部４６が実現される。中央処理装置３１がデコードプログラム４２を実行することで、図４に示すように、デコーダ４７が実現される。中央処理装置３１が表示制御プログラム４３を実行することで、図４に示すように、表示制御部４８が実現される。図４は、カメラ付き携帯電話端末２およびサーバ装置４に実現される機能を示すブロック図である。
【００３７】
この実施の形態１において、デコードプログラム４２などの半導体メモリ３３に記憶されるプログラムは、カメラ付き携帯電話端末２の出荷時にその半導体メモリ３３に記憶されるものである。この他にもたとえば、半導体メモリ３３に記憶されるプログラムは、たとえばＣＤ（コンパクト・ディスク）−ＲＯＭ（リード・オンリー・メモリ）、ＤＶＤ（デジタル・バーサタイル・ディスク）−ＲＯＭなどのコンピュータ読み取り可能な記録媒体や、通信ネットワーク３などの伝送媒体を介して、カメラ付き携帯電話端末２の出荷後に、半導体メモリ３３に保存されるものであってもよい。
【００３８】
通信制御部４６は、表示制御部４８などによりデータの取得が要求された場合、データの送信要求を無線通信Ｉ／Ｆ３６に送信させる。通信制御部４６は、無線通信Ｉ／Ｆ３６が受信したデータをそのデータの取得を要求した表示制御部４８などへ供給する。
【００３９】
デコーダ４７は、ＣＣＤカメラ３７が撮像した画像からＱＲコードパターン１２を抽出する。デコーダ４７は、抽出したＱＲコードパターン１２によるＱＲコードをデコードし、ＱＲコードにコード化されていたデータを復号する。
【００４０】
表示制御部４８は、表示データを生成し、液晶デバイス３９へ出力する。
【００４１】
図５は、サーバ装置４の構成を示す装置構成図である。サーバ装置４は、中央処理装置５１と、ＲＡＭ５２と、記憶手段としての記憶デバイス５３と、通信ネットワーク３のインターネット２１に接続される通信手段としての通信Ｉ／Ｆ５４と、これらを接続するシステムバス５５と、を有する。
【００４２】
記憶デバイス５３は、データ送出制御プログラム５６と、広域地図データ５７と、複数の詳細案内図データ５８と、対応テーブル５９と、を記憶する。中央処理装置５１は、データ送出制御プログラム５６を記憶デバイス５３からＲＡＭ５２に読み込んで実行する。これにより、図４に示すように、サーバ装置４には、第一の送信制御手段および第二の送信制御手段としてのデータ送出制御部６１が実現される。
【００４３】
データ送出制御部６１は、通信Ｉ／Ｆ５４がインターネット２１からデータの送信要求を受信すると、その要求を解釈する。データ送出制御部６１は、その解釈に基づいて記憶デバイス５３から要求に係るデータを読み込み、読み込んだデータを通信Ｉ／Ｆ５４に送信させる。
【００４４】
詳細案内図データ５８は、あるレストランへの道案内図の表示データや、あるレストランがその周囲の店舗とともに実際の配置にしたがって描画される地域案内図の表示データを有する。詳細案内図データ５８は、たとえば、サーバ装置に記憶されているレストラン毎に、記憶デバイス５３に記憶されるデータである。
【００４５】
道案内図や地域案内図は、たとえばその店舗やその地域の商店街や商工会議所などが発行するものである。このような案内図では、建物や店舗などは、それらの実際の詳細な配置や大きさを無視して適切なデフォルメがなされており、たとえば道路や通路の他に、交差点名やランドマークなどの目標物などが一緒に描画されていることが多い。ユーザは、それらを目印として案内図に記載されるレストランまで迷わずに移動することができる。詳細案内図データ５８における表示データには、このような案内図をデータ化したものが含まれる。
【００４６】
広域地図データ５７は、ＱＲコードを有するシート１が設置される地点の近隣の広域の地図による表示データを有する。この広域の地図は、たとえば１／４０００程度の縮尺の地図であれはよい。この広域の地図には、詳細案内図データ５８によるレストラン毎に、それぞれの所在地となる位置に、連番により番号が描画される。また、広域地図データ５７は、その地図中に描画される各番号と各レストランの名称とを対応付けた表示データと、その各表示データに関連付けられるリンク情報とを有する。リンク情報は、サーバ装置４のＵＲＬに、所定の文字列を付加した文字列のデータである。複数のリンク情報は、互いに異なる文字列を有する。
【００４７】
対応テーブル５９は、広域地図データ５７に含まれる複数のリンク情報と、記憶デバイス５３に記憶される複数の詳細案内図データ５８との対応付けを記憶するテーブルである。対応テーブル５９において、１つのリンク情報は、１つの詳細案内図データ５８に１対１に対応付けられる。複数の詳細案内図データ５８が、たとえばそのデータ毎のファイルとしてディレクトリ構造にて記憶デバイス５３に記憶されている場合、対応テーブル５９は、たとえば、そのディレクトリ構造に基づく各詳細案内図データ５８のファイルパスと、各リンク情報とを対応付けたものであればよい。
【００４８】
次に、図４を参照しながら、以上の構成を有する情報提供システムの動作を説明する。
【００４９】
図２の地域案内板１６の前にいるカメラ付き携帯電話端末２のユーザは、地域案内板１６に、ＱＲコードパターン１２が設置されていることを認識する。地域案内板１６において、ＱＲコードパターン１２の隣には、レストランを意味するマーク１３が近接して設置されている。ＱＲコードパターン１２とマーク１３との間隙は、ＱＲコードパターン１２またはマーク１３の外形の幅より狭くされる。
【００５０】
ユーザは、ＱＲコードパターン１２とレストランを意味するマーク１３とが１つのシート１の上に並べて設置されている状況を見ることで、そのＱＲコードパターン１２には、レストランに関連する情報がコード化されていると容易に把握することができる。ユーザは、ＱＲコードパターン１２を試しにデコードしなくとも、そのＱＲコードパターン１２にコード化されている情報がレストランに関連する情報であることを把握することができる。
【００５１】
レストランに関連する情報が欲しいと考えるユーザは、カメラ付き携帯電話端末２の入力キー３８を操作する。カメラ付き携帯電話端末２の中央処理装置３１は、その入力キー３８の操作に基づいて、デコードプログラム４２を読み込んで実行する。これにより、カメラ付き携帯電話端末２には、デコーダ４７が実現される。なお、以下の説明において、カメラ付き携帯電話端末２では、表示制御部４８と通信制御部４６とが既に実現されているものとする。
【００５２】
デコーダ４７は、ＣＣＤカメラ３７が撮像した画像を、液晶デバイス３９に表示させる。デコーダ４７は、ＣＣＤカメラ３７が撮像した画像の中に、ＱＲコードパターン１２を認識すると、その画像からＱＲコードパターン１２を抽出する。したがって、カメラ付き携帯電話端末２の液晶デバイス３９に図２の地域案内板１６に設置されたＱＲコードパターン１２が写るように、ユーザがカメラ付き携帯電話端末２を構えることで、デコーダ４７は、図２の地域案内板１６に設置されたＱＲコードパターン１２を抽出する。デコーダ４７は、抽出したＱＲコードパターン１２によるＱＲコードをデコードし、このＱＲコードにコード化されていたデータを復号する。これにより、デコーダ４７は、図２の地域案内板１６に設置されたＱＲコードパターン１２にコード化されていた、サーバ装置４のＵＲＬを復号する。デコーダ４７は、復号したサーバ装置４のＵＲＬを表示制御部４８へ供給する。
【００５３】
ＱＲコードパターン１２からデコードされたサーバ装置４のＵＲＬが供給されると、表示制御部４８は、そのサーバ装置４のＵＲＬを指定して、通信制御部４６にデータの送信要求を指示する。通信制御部４６は、サーバ装置４を送信先に指定したデータの送信要求を生成し、無線通信Ｉ／Ｆ３６へ出力する。無線通信Ｉ／Ｆ３６は、その送信要求を、通信ネットワーク３の基地局２３へ送信する。
【００５４】
通信ネットワーク３の基地局２３へ送信されたこのカメラ付き携帯電話端末２の送信要求は、ＡＴＭ通信網２２を介してインターネット２１へ送信される。サーバ装置４の通信Ｉ／Ｆ５４は、インターネット２１から、この自分宛てのデータ送信要求を受信する。
【００５５】
通信Ｉ／Ｆ５４がインターネット２１からデータの送信要求を受信すると、データ送出制御部６１は、その要求を解釈する。このＱＲコードパターン１２の読み取りに基づくデータの送信要求には、サーバ装置４のＵＲＬが含まれている。データ送出制御部６１は、サーバ装置４のＵＲＬが含まれていることを確認すると、記憶デバイス５３から広域地図データ５７を読み込み、通信Ｉ／Ｆ５４に供給する。通信Ｉ／Ｆ５４は、広域地図データ５７をインターネット２１へ送出する。
【００５６】
インターネット２１へ送出された広域地図データ５７は、ＡＴＭ通信網２２、基地局２３を介して、カメラ付き携帯電話端末２の無線通信Ｉ／Ｆ３６へ送信される。通信制御部４６は、無線通信Ｉ／Ｆ３６が受信した広域地図データ５７を表示制御部４８へ供給する。表示制御部４８は、無線通信Ｉ／Ｆ３６が受信した広域地図データ５７に含まれる表示データを、液晶デバイス３９へ出力する。液晶デバイス３９は、広域地図データ５７に含まれる表示データを表示する。
【００５７】
図６は、図４中のカメラ付き携帯電話端末２の液晶デバイス３９に表示される広域地図データ５７に基づく表示画面の一例を示す図である。液晶デバイス３９は、複数のレストランの所在地に連番の番号が描画される広域の地図を表示する。また、液晶デバイス３９は、その地図の下に、広域の地図内に表示される複数の番号と、レストランの名称とを対応付けたリストを表示する。ユーザは、液晶デバイス３９に表示される地図に基づいて、ＱＲコードを有するシート１が設置される地域の周辺の地理を把握することができる。また、ユーザは、広域の地図内における番号の描画位置に基づいて、表示されているリスト内に列挙される複数のレストランの大まかな所在地を把握することができる。
【００５８】
図６の画面が表示されている状態でユーザが入力キー３８を操作してリスト内のあるレストランの番号を入力すると、表示制御部４８は、広域地図データ５７から、その番号と関連付けられているリンク情報を抽出する。表示制御部４８は、抽出したリンク情報を指定して、通信制御部４６にデータの送信要求を指示する。通信制御部４６は、サーバ装置４を送信先に指定し、その抽出したリンク情報に対応するデータの送信を要求するデータの送信要求を生成し、無線通信Ｉ／Ｆ３６へ出力する。無線通信Ｉ／Ｆ３６は、その送信要求を、通信ネットワーク３の基地局２３へ送信する。サーバ装置４の通信Ｉ／Ｆ５４は、通信ネットワーク３を介して、その送信要求を受信する。
【００５９】
通信Ｉ／Ｆ５４がインターネット２１からデータの送信要求を受信すると、データ送出制御部６１は、その要求を解釈する。この広域地図データ５７における番号選択に基づくデータの送信要求には、カメラ付き携帯電話端末２において選択されたリンク情報が含まれる。データ送出制御部６１は、記憶デバイス５３に記憶されている対応テーブル５９を参照し、そのリンク情報に対応する詳細案内図データ５８を特定する。データ送出制御部６１は、特定した詳細案内図データ５８を、記憶デバイス５３から読み込み、通信Ｉ／Ｆ５４に供給する。通信Ｉ／Ｆ５４は、詳細案内図データ５８をインターネット２１へ送出する。
【００６０】
カメラ付き携帯電話端末２の無線通信Ｉ／Ｆ３６は、通信ネットワーク３を介してその詳細案内図データ５８を受信する。通信制御部４６は、無線通信Ｉ／Ｆ３６が受信した詳細案内図データ５８を表示制御部４８へ供給する。表示制御部４８は、無線通信Ｉ／Ｆ３６が受信した詳細案内図データ５８に含まれる表示データを、液晶デバイス３９へ出力する。液晶デバイス３９は、詳細案内図データ５８に含まれる表示データを表示する。
【００６１】
図７は、図４中のカメラ付き携帯電話端末２の液晶デバイス３９に表示される詳細案内図データ５８に基づく表示画面の一例を示す図である。液晶デバイス３９は、広域地図データ５７に基づいて選択したレストランの周辺の詳細な地図を表示する。ユーザは、この詳細な地図に基づいて、広域地図データ５７に基づいて選択したレストランの詳しい所在地を把握することができる。
【００６２】
以上のように、この実施の形態１によれば、ＱＲコードパターン１２を見た人は、そのＱＲコードパターン１２とともにシート１に印刷されているマーク１３に基づいて、そのＱＲコードパターン１２をデコードすることで得られる情報がレストランに関する情報であることを把握することができる。
【００６３】
この実施の形態１では、ＱＲコードパターン１２は、マーク１３の左側となる位置に並べて、シート１上に別々に配置されている。ＱＲコードパターン１２とマーク１３との関連性を保ちながら、ＱＲコードパターン１２とマーク１３とを別々に配置している。したがって、シート１上にＱＲコードパターン１２を大きく形成して、シート１から離れた位置からカメラ付き携帯端末２により撮像可能となり、且つ、ＱＲコードパターン１２をカメラ付き携帯端末２により読み取る際に、マーク１３がその妨げとなり難くなる。特に、マーク１３の右側にＱＲコードパターン１２を配設しているので、日本人に限らず外国人であっても、ＱＲコードパターン１２とマーク１３との対応関係を正しく認識することができる。
【００６４】
この実施の形態１では、カメラ付き携帯端末２のユーザは、ＱＲコードパターン１２をデコードすることで、サーバ装置４から広域の地図と、所定のレストランまでの道案内図あるいは地域案内図を、カメラ付き携帯端末２の液晶デバイス３９に表示することができる。したがって、カメラ付き携帯端末２のユーザは、レストランまでの様子を、広域地図データに基づいて大まかに把握し、且つ、詳細案内図データに基づいて細かく把握することができる。
【００６５】
なお、ＱＲコードパターン１２には、サーバ装置４のＵＲＬ以外のＵＲＬや、その他の情報がコード化されていてもよい。サーバ装置４のＵＲＬ以外のＵＲＬとしては、たとえば推奨するお店のＵＲＬやスポンサのＵＲＬなどがある。このＵＲＬには、さらにそのお店の紹介文などを付加してもよい。その他の情報としては、たとえば駅の改札口などにこのＱＲコードを有するシート１を設置する場合であれば、駅の総合案内の電話番号、忘れ物の問合せ先の電話番号、所轄の警察署の電話番号などがある。
【００６６】
実施の形態２．
本発明の実施の形態２に係る情報提供システムは、二次元コードの一種としてのＱＲコードを有するシート８１と、カメラ付き携帯電話端末２と、通信ネットワーク３と、サーバ装置４と、を有する。この情報提供システムは、カメラ付き携帯電話端末２から受信したメッセージを大型スクリーンに表示するサービスを、カメラ付き携帯電話端末２のユーザに提供する。大型スクリーンは、メッセージを雪のように上から下に降らせて表示する。
【００６７】
図８は、本発明の実施の形態２に係るＱＲコードを有するシート８１を示す図である。ＱＲコードを有するシート８１は、たとえば塩化ビニル製の白色のマット材１１の表面に、二次元コードによるパターンとしてのＱＲコードパターン８２と、図案としてのマーク８３とが印刷される。
【００６８】
マーク８３は、マット材１１の表面の全面に形成される。マーク８３の右半分には雪の結晶を模した図案があり、左半分には簡単なサービスの解説文と携帯電話をその雪の結晶に向けて持つ少女の図案がある。
【００６９】
ＱＲコードパターン８２は、雪の結晶を模した図案の中心に印刷されている。ＱＲコードパターン８２には、サーバ装置４のＵＲＬがコード化されている。サーバ装置４のＵＲＬは、解説文にも記載されている。
【００７０】
このような図案のマーク８３をＱＲコードパターン８２とともに印刷することで、カメラ付き携帯電話端末２のユーザなどに対して、このＱＲコードパターン８２をデコードすることで、何らかのメールを用いたサービスの提供を受けることができることを容易に把握させることができる。
【００７１】
なお、このようなＱＲコードを有するシート８１は、催し物の特設会場や、特設会場周辺の道路、建物のイベント案内掲示板などに設置すればよい。
【００７２】
図９は、カメラ付き携帯電話端末２およびサーバ装置４に実現される機能を示すブロック図である。
【００７３】
サーバ装置４の記憶デバイス５３には、入力ページデータ９１と、図示外のデータ送出制御プログラムと、が記憶される。サーバ装置４の中央処理装置５１がこのデータ通信制御プログラムを実行することで、サーバ装置４には、データ通信制御部９２が実現される。また、サーバ装置４のシステムバス５５には、メッセージの内容を表示するための大型スクリーン９３が接続される。
【００７４】
入力ページデータ９１は、カメラ付き携帯電話端末２の液晶デバイス３９に入力画面を表示するデータである。この入力画面には、入力者名の入力欄、メッセージの宛名の入力欄、メッセージの本文の入力欄、添付画像の選択欄などがある。
【００７５】
データ通信制御部９２は、通信Ｉ／Ｆ５４がインターネット２１からデータの送信要求を受信すると、その要求を解釈する。データ通信制御部９２は、その解釈に基づいて、たとえば記憶デバイス５３から要求に係るデータを読み込み、読み込んだデータを通信Ｉ／Ｆ５４に送信させる。
【００７６】
上述した以外のサーバ装置４の構成は、実施の形態１に係るサーバ装置４の同名の構成要素と同じ機能を有するものであり、同一の名称および符号を付して説明を省略する。また、カメラ付き携帯電話端末２および通信ネットワーク３の構成は、実施の形態１の同名の構成要素と同じ機能を有するものであり、同一の名称および符号を付して説明を省略する。
【００７７】
次に、図９参照しながら、以上の構成を有する情報提供システムの動作を説明する。
【００７８】
図８のシート８１が設置された場所の前にいるカメラ付き携帯電話端末２のユーザは、シート８１に、ＱＲコードパターン８２が設置されていることを認識する。シート８１において、ＱＲコードパターン８２の周囲には、ＱＲコードパターン８２をデコードすることで提供されるサービスを連想させる図案がある。
【００７９】
ユーザは、ＱＲコードパターン８２とサービスを連想させる図案とが１つのシート８１の上に並べて設置されている状況を見ることで、そのＱＲコードパターン８２には、その連想されるサービスに関する情報がコード化されていると把握することができる。ユーザは、ＱＲコードパターン８２を試しにデコードしなくとも、そのＱＲコードパターン８２にコード化されている情報がメール形式のサービスに関連する情報であることを把握することができる。
【００８０】
このサービスに興味を持ったユーザは、カメラ付き携帯電話端末２の入力キー３８を操作する。カメラ付き携帯電話端末２のデコーダ４７は、ＣＣＤカメラ３７が撮像した画像からＱＲコードパターン８２を抽出し、抽出したＱＲコードパターン８２によるＱＲコードをデコードし、このＱＲコードにコード化されていたデータを復号する。デコーダ４７は、図８のＱＲコードパターン８２から復号したサーバ装置４のＵＲＬを表示制御部４８へ供給する。
【００８１】
ＱＲコードパターン８２からデコードされたサーバ装置４のＵＲＬが供給されると、カメラ付き携帯電話端末２の表示制御部４８は、そのサーバ装置４のＵＲＬを指定して、通信制御部４６にデータの送信要求を指示する。通信制御部４６は、サーバ装置４を送信先に指定したデータの送信要求を生成し、無線通信Ｉ／Ｆ３６へ出力する。このデータの送信要求は、無線通信Ｉ／Ｆ３６から通信ネットワーク３を介して、サーバ装置４の通信Ｉ／Ｆ５４へ送信される。
【００８２】
通信Ｉ／Ｆ５４がインターネット２１からデータの送信要求を受信すると、データ通信制御部９２は、その要求にサーバ装置４のＵＲＬが含まれていることを確認し、記憶デバイス５３に記憶されている入力ページデータ９１を通信Ｉ／Ｆ５４に送信させる。入力ページデータ９１は、通信ネットワーク３を介して、カメラ付き携帯電話端末２の無線通信Ｉ／Ｆ３６に受信される。カメラ付き携帯電話端末２の通信制御部４６は、無線通信Ｉ／Ｆ３６が受信した入力ページデータ９１を表示制御部４８へ供給する。表示制御部４８は、無線通信Ｉ／Ｆ３６が受信した入力ページデータ９１に基づく入力画面を液晶デバイス３９に表示させる。ユーザは、入力キー３８を操作して、入力者名、メッセージの宛名、メッセージの本文などを入力し、添付画像を選択する。
【００８３】
入力者名、メッセージの宛名、メッセージの本文などが入力されると、表示制御部４８は、通信制御部４６に、入力された文字列のデータおよび選択された画像のデータの送信を指示する。無線通信Ｉ／Ｆ３６は、通信制御部４６の制御の下で、これらのデータをサーバ装置４へ送信する。サーバ装置４の通信Ｉ／Ｆ５４は、無線通信Ｉ／Ｆ３６が送信したデータを受信する。
【００８４】
サーバ装置４のデータ通信制御部９２は、無線通信Ｉ／Ｆ３６がこのメッセージなどの入力データを受信すると、そのデータを確認し、大型スクリーン９３へ出力する。大型スクリーン９３は、データ通信制御部９２から供給されたデータを表示する。これにより、大型スクリーン９３には、カメラ付き携帯電話端末２のユーザが、そのカメラ付き携帯電話端末２に入力した入力者名、メッセージの宛名、メッセージの本文などが表示される。また、ユーザがカメラ付き携帯電話端末２において選択した画像が表示される。
【００８５】
以上のように、この実施の形態２によれば、ＱＲコードパターン８２を見た人は、そのＱＲコードパターン８２とともにシート８１に印刷されているマーク８３に基づいて、そのＱＲコードパターン８２をデコードすることで、メール形式のサービスに関連する情報が得られると把握することができる。
【００８６】
この実施の形態２では、ＱＲコードパターン８２は、マーク８３中に重ねて配置されている。したがって、ＱＲコードパターン８２とマーク８３との関連性を誰でも認識することができる。また、ＱＲコードパターン８２をマーク８３の一部とすることで、シート１全体に大きくマーク８３としての図案を配置することができ、遠方にいる人であっても、そこにＱＲコードパターン８２により情報が提供されていることを認識することができる。
【００８７】
なお、ＱＲコードパターン８２には、サーバ装置４のＵＲＬ以外のＵＲＬや、その他の情報がコード化されていてもよい。サーバ装置４のＵＲＬ以外のＵＲＬとしては、たとえば推奨するお店のＵＲＬやスポンサのＵＲＬなどがある。このＵＲＬには、さらにそのお店の紹介文などを付加してもよい。その他の情報としては、たとえば駅の改札口などにこのＱＲコードを有するシート８１を設置する場合であれば、駅の総合案内の電話番号、忘れ物の問合せ先の電話番号、所轄の警察署の電話番号などがある。
【００８８】
また、この実施の形態２では、図８に示すように、雪の結晶を模した図案、携帯電話および少女からなる図案のマーク８３の中に重ねて、ＱＲコードパターン８２を印刷している。この他にもたとえば、図１０に示すように、雪の結晶を模した図案、携帯電話および少女からなる図案８３の右側に、ＱＲコードパターン８２を並べて印刷するようにしてもよい。さらに他にもたとえば、図１１に示すように白鳥の胴体の中に重ねてＱＲコードパターン８２を印刷しても、図１２に示すようにウサギの胴体の中に重ねてＱＲコードパターン８２を印刷しても、図１３に示すようにオコジョの胴体の中に重ねてＱＲコードパターン８２を印刷しても、図１４に示すようにオオカミの胴体の中に重ねてＱＲコードパターン８２を印刷しても、図１５に示すようにシカの胴体の中に重ねてＱＲコードパターン８２を印刷してもよい。
【００８９】
また、図８および図１０から図１５に示すシート８１では、ＱＲコードパターン８２は、白抜きの枠の内側か、あるいは、単色ベタ塗りの部位の内側に印刷されている。ＱＲコードパターン８２の四角形の外側は、単一色となっている。この他にもたとえば、図１６に示すように、シカの絵の輪郭と重ねて、ＱＲコードパターン８２を印刷してもよい。これにより、ＱＲコードパターン８２を印刷するシート８１への図案の自由度が上がる。そして、カメラ付き携帯電話端末２は、このようにＱＲコードパターン８２の一部に、同時に印刷される絵などが重なっていたり、ＱＲコードパターン８２が汚れていたりしたとしても、ＱＲコードパターン８２にコード化されているデータのデコードが可能である。
【００９０】
また、図８および図１０から図１６では、ＱＲコードパターン８２は、その全体が、１枚のシート８１に印刷されている。この他にもたとえば、ＱＲコードパターンは、複数の分割して印刷されたり、あるいは、図１７に示すように、複数枚のシート８１に分けて印刷されていてもよい。カメラ付き携帯電話端末２は、そのような形態で印刷されているＱＲコードパターンにコード化されているデータのデコードが可能である。なお、図１７では、ＱＲコードパターンは、４つの縦長のシート８１に分けて印刷されている。また、ＱＲコードパターンと同様に、マークも、複数のシートに分けて印刷されていてもよい。
【００９１】
この複数のシート８１に分割されて印刷されるＱＲコードパターンは、図１７に示すようにその複数のシート８１の間に隙間が生じるように間延びして設置されても、その複数のシート８１の一部が重なるように縮めて設置されてもよい。また、複数のシート８１は、ビルの屋上などから吊り下げられる複数の垂れ幕であってもよい。カメラ付き携帯電話端末２は、ビルから吊り下げられた複数の垂れ幕シートに分けて印刷されたＱＲコードパターンを読み込んで、その分けて印刷されているＱＲコードパターン８２にコード化されているデータのデコードが可能である。
【００９２】
また、この実施の形態では、ＱＲコードパターン１２およびマーク１３は、油性インクにより印刷されている。この他にもたとえば、シート８１に、ＱＲコードパターン１２およびマーク１３は、水性インクにより印刷されていてもよい。水性インクでは、約１年程度の期間でＱＲコードパターン１２のデコードができなくなる場合がある。これに対して、油性インクでは、５年程度の期間はデコードが可能である。このように油性インクと水性インクとでは耐久年数が違う。油性インクと水性インクとを使い分けることにより、ＱＲコードパターン１２およびマーク１３が印刷されたシート８１の使用年数を、使用目的に応じて設定することができる。さらに、ＱＲコードパターン１２およびマーク１３の表面を前述のようにポリプロピレンまたはフッ化ビニリデン（フィルム）などでコーティングしてもよい。コーティングにより使用年数をさらに伸ばすことができる。
【００９３】
以上の各実施の形態は、本発明の好適な実施の形態の例であるが、本発明はこれに限定されるものではなく、発明の要旨を逸脱しない範囲において種々の変形、変更が可能である。
【００９４】
たとえば、上記実施の形態１では、地域案内板１６には、１つのＱＲコードを有するシート１が設置されている。この他にもたとえば、地域案内板１６などの所定の一つの箇所に、複数のシート１を設置するようにしてもよい。この場合、各シート１において、マーク１３の右側にＱＲコードパターン１２を配設するようにすることで、一箇所に複数のシート１が配設されている状況であったとしても、ユーザはそれらを互いに区別し、ＱＲコードパターン１２とマーク１３との対応関係を正しく認識することができる。
【００９５】
上記実施の形態１では、カメラ付き携帯端末２は、広域地図データ５７に基づく地図中に表示される番号を選択することで、所定の詳細案内図データ５８の送信を要求している。この他にもたとえば、カメラ付き携帯端末２は、広域地図データ５７に基づく地図に重ねてたとえば十字のポインタなどを表示し、その十字のポインタを所定の位置に移動した上でその重なっている地点を選択するようにすることで、所定の詳細案内図データ５８の送信を要求するようにしてもよい。この場合、サーバ装置４は、たとえば、その選択された地点に最も近い地点にある施設の詳細案内図データ５８を送信するようにすればよい。
【００９６】
上記実施の形態１では、詳細案内図データ５８は、道案内図や地域案内図をデータ化した地図データを有する。この他にもたとえば、詳細案内図データ５８は、住宅地図などの詳細な地図をデータ化した表示データを有するものであってもよい。
【００９７】
上記実施の形態１の情報提供システムでは、サーバ装置４はカメラ付き携帯端末２へ、ＱＲコードパターン１２のデコードに基づく送信要求に応じて、広域地図データ５７と、詳細案内図データ５８とを送信する。この他にもたとえば、サーバ装置４は、ＱＲコードのデコードに基づく送信要求に応じていきなり所定の詳細案内図データ５８を送信したり、３回目以降の送信要求に対して、所定の詳細案内図データ５８を送信するようにしたりしてもよい。
【００９８】
上記実施の形態１では、広域地図データ５７は、サーバ装置４の記憶デバイス５６に記憶される詳細案内図データ５８へのリンク情報を有する。この他にもたとえば、広域地図データ５７は、他のサーバ装置のページへのリンク情報を有するものであってもよい。他のサーバ装置のページとしては、たとえば、施設への道案内図のページがある。
【００９９】
上記実施の形態１の情報提供システムは、レストランに関する情報を提供するためのものである。上記実施の形態２の情報提供システムは、メッセージの表示サービスを提供するためのものである。この他にもたとえば、情報提供システムは、レストラン以外の店舗、施設、構造物、メッセージの表示サービス以外のサービスなどに関する所定の情報を提供するためのものであってもよい。このような変形例の場合であっても、ＱＲコードパターン１２に、サーバ装置４にアクセスするためのアクセス情報をコード化し、そのＱＲコードパターン１２とともにその提供する情報の種類もしくは分類に応じた図案あるいはその提供する情報の種類もしくは分類を連想させる図案をマーク１３として配置することで、カメラ付き携帯端末２のユーザに、そのＱＲコードパターン１２をデコードすることで得られる情報の概略を把握させ、必要に応じて自ら進んでデコードさせることができる。
【０１００】
具体的にはたとえば、情報提供システムは、障害者施設の案内、観光案内所、インフォメーションセンター、救護所、警察署、郵便局、銀行、お手洗い、消火器、電話機、非常口、喫茶軽食、病院、ホテル、切符売り場、休憩所、待合室、更衣室、ガソリンスタンド、バス乗り場など案内するものであってもよい。
【０１０１】
これらの変形例の場合、ＱＲコードパターン１２とともにシート１に印刷されるマーク１３としては、標準案内用図記号の図記号、国際シンボルマークにおける図記号などを使用するとよい。たとえば、案内所に関する情報を提供する場合であればクエスチョンマークの図記号、情報コーナーに関する情報を提供する場合であれば「ｉ」の文字を図案化した図記号、障害者施設に関する情報を提供する場合であれば車椅子の図記号などを使用すればよい。
【０１０２】
また、この他にもたとえば、マーク１３には、国旗、記章、その他の紋章を使用してもよい。ＱＲコードパターン１２にこのようなマーク１３を対応付けることで、ユーザに、ＱＲコードパターン１２をデコードすることで得られる情報が、その国旗を有する国家の言語で記述された情報であることを把握させることができる。この場合、サーバ装置４は、最初の要求に対して言語の選択画面のデータを送信するようにしてもよい。
【０１０３】
さらに、マーク１３には、カメラ付き携帯電話端末２により読み取り可能な電子透かしのパターンや所定の認識パターンを埋め込んだものであってもよい。これにより、このマーク１３のパターンをカメラ付き携帯電話端末２により読み取らせることで、その特定のユーザとその他のユーザとを自動的に区別し、その区別に応じた情報の提供などが可能となる。
【０１０４】
上記実施の形態１では、ＱＲコードを有するシート１は、地域案内板１６に貼着されている。この他にもたとえば、ＱＲコードを有するシート１は、たとえば街中に分布させて複数設置するようにしてもよい。このように街中に分布させて複数のＱＲコードを有するシート１を設置する場合、シート１毎に異なるＵＲＬをＱＲコードパターン１２にコード化したり、ＵＲＬとは別にシート１毎に固有の識別番号をコード化するとともにその識別番号をＵＲＬとともに送信させたりすることで、それら複数のシート１のＱＲコードパターン１２同士をサーバ装置４において区別するようにしてもよい。
【０１０５】
上記各実施の形態では、ＱＲコードを有するシート１，８１は、塩化ビニルの基材を使用している。この他にもたとえば、ＱＲコードを有するシート１，８１は、塩化ビニル以外のプラスチック材や、金属材、磁性材により形成されていてもよい。シート１，８１は、それ自体の裏面に接着層を有するシール状のものであっても、その裏面に接着剤などを付着することで地域案内板１６などに貼着されるものであってもよい。また、シート１，８１は、磁性材料を有し、その磁性材料の磁力により金属製の地域案内板１６などに貼着されるものであってもよい。
【０１０６】
上記各実施の形態では、ＱＲコードパターン１２，８２は、マーク１３，８３とともにシート１，８１に印刷されている。この他にもたとえば、ＱＲコードパターンは、黒色の御影石、アルミニウムやステンレスなどの金属材に形成されてもよい。図１８は、ＱＲコードパターン８２と、図案８３とが上下に並べて形成された黒色の御影石１０１を示す。
【０１０７】
黒色の御影石１０１には、たとえばレーザ加工やサンドブラスト加工などによりＱＲコードパターン１２を形成することができる。アルミニウムやステンレスなどの金属材には、たとえばレーザ加工、エッチング加工、サンドブラスト加工などによりＱＲコードパターン１２を形成することができる。
【０１０８】
また、これらの加工で黒色の御影石１０１や金属材にＱＲコードパターン１２，８２を形成した場合、ＱＲコードパターン１２，８２が形成される部位は、凹凸になる。凸部が欠けたりする恐れがある。そのため、このＱＲコードパターン１２が形成される部位に対して、たとえばマットポリプロピレン加工、フッ化ビニリデン加工などを施すとよい。これにより、凹部を埋めて凸部が欠けにくくしたり、ＱＲコードパターン１２が形成される面全体を被覆してその全体を保護したりすることができる。ＱＲコードパターン１２の耐久性が向上する。
【０１０９】
なお、上記実施の形態１において図８、図１０〜１５に示すシート８１をシート１の替わりに使用してもよいし、上記実施の形態２において図１に示すシート１をシート８１の替わりに使用してもよい。
【０１１０】
上記各実施の形態では、ＱＲコードパターン１２，８２は、マーク１３，８３とともにシート１，８１に印刷されている。この他にもたとえば、ＱＲコードパターン１２，８２は、せんべい、チョコレートなどの食料品に形成されるようにしてもよい。
【図面の簡単な説明】
【０１１１】
【図１】図１は、本発明の実施の形態１に係る情報提供システムを示すシステム構成図である。
【図２】図２は、図１中のＱＲコードを有するシートの設置状態の一例を示す図である。
【図３】図３は、図１中のカメラ付き携帯電話端末の構成を示す装置構成図である。
【図４】図４は、図１中のカメラ付き携帯電話端末およびサーバ装置に実現される機能を示すブロック図である。
【図５】図５は、図１中のサーバ装置の構成を示す装置構成図である。
【図６】図６は、図４中のカメラ付き携帯電話端末の液晶デバイスに表示される広域地図データ５７に基づく表示画面の一例を示す図である。
【図７】図７は、図４中のカメラ付き携帯電話端末の液晶デバイスに表示される詳細案内図データ５８に基づく表示画面の一例を示す図である。
【図８】図８は、本発明の実施の形態２に係るＱＲコードを有するシートを示す図である。
【図９】図９は、本発明の実施の形態２に係るカメラ付き携帯電話端末およびサーバ装置に実現される機能を示すブロック図である。
【図１０】図１０は、図８のＱＲコードを有するシートの第一の変形例を示す図である。
【図１１】図１１は、図８のＱＲコードを有するシートの第二の変形例を示す図である。
【図１２】図１２は、図８のＱＲコードを有するシートの第三の変形例を示す図である。
【図１３】図１３は、図８のＱＲコードを有するシートの第四の変形例を示す図である。
【図１４】図１４は、図８のＱＲコードを有するシートの第五の変形例を示す図である。
【図１５】図１５は、図８のＱＲコードを有するシートの第六の変形例を示す図である。
【図１６】図１６は、ＱＲコードパターンの一部に、図案の一部が重なっているシート変形例を示す図である。
【図１７】図１７は、ＱＲコードパターンが複数枚のシートに分割して印刷されたシート変形例を示す図である。
【図１８】図１８は、ＱＲコードパターンが御影石に形成された変形例を示す図である。
【符号の説明】
【０１１２】
１，８１  ＱＲコードを有するシート（二次元コードを有するシート）
２  カメラ付き携帯電話端末（携帯端末）
３  通信ネットワーク（ネットワーク）
１２，８２  ＱＲコードパターン（二次元コードパターン）
１３，８３  マーク（図案）
５４  通信Ｉ／Ｆ（通信手段）
５８  詳細案内図データ
５７  広域地図データ
５３  記憶デバイス（記憶手段）
６１  データ送出制御部（第一の送信制御手段、第二の送信制御手段）
【図１】
0004708380.tif 000002
【図２】
0004708380.tif 000003
【図３】
0004708380.tif 000004
【図４】
0004708380.tif 000005
【図５】
0004708380.tif 000006
【図６】
0004708380.tif 000007
【図７】
0004708380.tif 000008
【図８】
0004708380.tif 000009
【図９】
0004708380.tif 000010
【図１０】
0004708380.tif 000011
【図１１】
0004708380.tif 000012
【図１２】
0004708380.tif 000013
【図１３】
0004708380.tif 000014
【図１４】
0004708380.tif 000015
【図１５】
0004708380.tif 000016
【図１６】
0004708380.tif 000017
【図１７】
0004708380.tif 000018
【図１８】
0004708380.tif 000019